(57)【要約】【課題】  シートバック背面に設けられた表示装置が、シートバックの角度や後席乗員の座高によっても、確実に見えるようにした乗り物用座席を提供する。【解決手段】  シートバック２に沿う位置及び表示装置６を保持可能な位置に選択可能なホルダー９は、シートバック２の背面２ａに沿う位置に固設されてなる支持部１０と、ヒンジ部１１を中心に略水平の位置まで開成自在なる蓋体４とより構成され、支持部１０には、表示装置６を選択的に支持可能な複数の第１係合部５が配設され、蓋体４の表面側には、複数の第２係合部４ａが形成され、支持部１０に回転中心部７ａを有する調節部材７が第２係合部４ａの何れかに係合可能なる。【選択図】       図２
2014051119.tif 000002
【特許請求の範囲】
【請求項１】
シートバック背面に沿う収納位置と、前記シートバック背面に表示装置を保持可能な表示位置とに選択可能なるホルダーを配してなる乗り物用座席であって、
前記ホルダーは、前記シートバック背面に沿う位置に固設されてなる支持部と、該支持部の下端部に設けたヒンジ部を中心に前記シートバック背面に沿う位置から略水平の位置まで開成自在なる蓋体とより構成されてなり、
前記支持部の上端部には、前記表示装置の上端部を選択的に支持可能なる複数の第１係合部が配設されてなり、
前記蓋体の表面側には、左右方向に形成されてなる複数の第２係合部が形成されてなり、
前記支持部に回転中心部を有する調節部材が前記第２係合部の何れかに係合可能なることを特徴とすることを特徴とする乗り物用座席。
【請求項２】
請求項１に記載の乗り物用座席であって、
前記蓋体の前記シートバック背面側は、平滑なテーブルが形成されてなることを特徴とする乗り物用座席。
【請求項３】
請求項１又は請求項２に記載の乗り物用座席であって、
前記第１係合部は、前記シートバック背面に沿う上下方向に複数形成されてなることを特徴とする乗り物用座席。
【請求項４】
請求項１乃至請求項３の何れか１項に記載の乗り物用座席であって、
前記表示装置の下端部は、前記テーブルに形成した第４係合部に係合可能なることを特徴とする乗り物用座席。
【請求項５】
請求項２乃至請求項４の何れか1項に記載の乗り物用座席であって、
前記調節部材の第３係合部は、前記蓋体の第２係合部の適宜位置に係合可能なることを特徴とする乗り物用座席。
【請求項６】
請求項１乃至請求項５の何れか1項に記載の乗り物用座席であって、
前記蓋体の側部には、前記表示装置に電気的に連結されてなるインポートが配設されてなることを特徴とする乗り物用座席。
【発明の詳細な説明】
【技術分野】
【０００１】
本発明は、乗り物用座席に関する。
【背景技術】
【０００２】
従来の乗り物用座席、特にシートバックの背面を利用して装備品を設けたものがある（例えば、特許文献１参照。）。
【先行技術文献】
【特許文献】
【０００３】
【特許文献１】特開平１１−１９８６８９号公報
【発明の概要】
【発明が解決しようとする課題】
【０００４】
しかしながら、このような従来の技術にあっては、開閉可能な蓋体ではあるものの、後面が何も表示していないので、無駄なエリアになっている。だからといって、シートバックの背面に単に表示装置を設けても、シートバック角度や後席乗員の座高などにより表示装置が適切な角度にならず、表示装置が見えにくくなる恐れがある。
【０００５】
本発明は、このような従来の技術に着目してなされたものであり、シートバック背面に設けられた表示装置が、シートバックの角度や後席乗員の座高によっても、確実に見えるようにした乗り物用座席を提供するものである。
【課題を解決するための手段】
【０００６】
請求項１に記載の発明は、シートバック背面に沿う収納位置と、前記シートバック背面に表示装置を保持可能な表示位置とに選択可能なるホルダーを配してなる乗り物用座席であって、前記ホルダーは、前記シートバック背面に沿う位置に固設されてなる支持部と、該支持部の下端部に設けたヒンジ部を中心に前記シートバック背面に沿う位置から略水平の位置まで開成自在なる蓋体とより構成されてなり、前記支持部の上端部には、前記表示装置の上端部を選択的に支持可能なる複数の第１係合部が配設されてなり、前記蓋体の表面側には、左右方向に形成されてなる複数の第２係合部が形成されてなり、前記支持部に回転中心部を有する調節部材が前記第２係合部の何れかに係合可能なることを特徴とする。
【０００７】
請求項２記載の発明は、請求項１に記載の乗り物用座席であって、前記蓋体の前記シートバック背面側は、平滑なテーブルが形成されてなることを特徴とする。
【０００８】
請求項３記載の発明は、請求項１又は請求項２に記載の乗り物用座席であって、前記第１係合部は、前記シートバック背面に沿う上下方向に複数形成されてなることを特徴とする。
【０００９】
請求項４記載の発明は、請求項１乃至請求項３の何れか１項に記載の乗り物用座席であって、前記表示装置の下端部は、前記テーブルに形成した第４係合部に係合可能なることを特徴とする。
【００１０】
請求項５記載の発明は、請求項２乃至請求項４の何れか1項に記載の乗り物用座席であって、前記調節部材の第３係合部は、前記蓋体の第２係合部の適宜位置に係合可能なることを特徴とする。
【００１１】
請求項６記載の発明は、請求項１乃至請求項５の何れか1項に記載の乗り物用座席であって、前記蓋体の側部には、前記表示装置に電気的に連結されてなるインポートが配設されてなることを特徴とする。
【発明の効果】
【００１２】
請求項１記載の発明によれば、シートバック背面に沿う収納位置と、前記シートバック背面に表示装置を保持可能な表示位置とに選択可能なるホルダーを配してなる乗り物用座席であって、前記ホルダーは、前記シートバック背面に沿う位置に固設されてなる支持部と、該支持部の下端部に設けたヒンジ部を中心に前記シートバック背面に沿う位置から略水平の位置まで開成自在なる蓋体とより構成されてなり、前記支持部の上端部には、前記表示装置の上端部を選択的に支持可能なる複数の第１係合部が配設されてなり、前記蓋体の表面側には、左右方向に形成されてなる複数の第２係合部が形成されてなり、前記支持部に回転中心部を有する調節部材が前記第２係合部の何れかに係合可能なるため、シートバック背面に設けられた表示装置が、シートバックの角度や後席乗員の座高によっても、確実に見える。
【００１３】
請求項２記載の発明によれば、前記蓋体の前記シートバック背面側は、平滑なテーブルが形成されてなるため、表示装置を取り外した時に、乗り物の中での事務作業が可能になるなどの有用な効果を有する。
【００１４】
請求項３記載の発明によれば、前記第１係合部は、前記シートバック背面に沿う上下方向に複数形成されてなるため、前記表示装置の角度を変更でき、後席に座る乗員の座高がさまざまであっても、また、シートバックの角度が変化しても、表示装置を確実に視認できることになる。
【００１５】
請求項４記載の発明によれば、前記表示装置の下端部は、前記テーブルに形成した第４係合部に係合可能であるため、表示装置の保持が確実になる。
【００１６】
請求項５記載の発明によれば、前記調節部材の第３係合部は、前記蓋体の第２係合部の適宜位置に係合可能なため、前記表示装置の角度を変更でき、後席に座る乗員の座高がさまざまであっても、また、シートバックの角度が変化しても、表示装置を確実に視認できることになる。
【００１７】
請求項６記載の発明によれば、前記蓋体の側部には、前記表示装置に電気的に連結されてなるインポートが配設されてなるため、乗り物の中での事務作業が著しく効率が向上することになる。
【図面の簡単な説明】
【００１８】
【図１】本発明の一実施形態に係るホルダーの非使用状態における乗り物用座席の背面を示す正面図。
【図２】図１のホルダーの使用状態における乗り物用座席の斜視図。
【図３】図２の乗り物の後側から見た斜視図。
【発明を実施するための形態】
【００１９】
シートバック背面に設けられた表示装置が、シートバックの角度や後席乗員の座高によっても、確実に見えるようにした乗り物用座席を提供する、という目的を、シートバック背面に沿う収納位置と、前記シートバック背面に表示装置を保持可能な表示位置とに選択可能なるホルダーを配してなる乗り物用座席であって、前記ホルダーは、前記シートバック背面に沿う位置に固設されてなる支持部と、該支持部の下端部に設けたヒンジ部を中心に前記シートバック背面に沿う位置から略水平の位置まで開成自在なる蓋体とより構成されてなり、前記支持部の上端部には、前記表示装置の上端部を選択的に支持可能なる複数の第１係合部が配設されてなり、前記蓋体の表面側には、左右方向に形成されてなる複数の第２係合部が形成されてなり、前記支持部に回転中心部を有する調節部材が前記第２係合部の何れかに係合可能なることで、実現した。
【実施例】
【００２０】
以下、本発明の最良の実施例を図１〜図３に基づいて説明する。ワンボックスタイプの自動車としての乗り物用座席１は、図示しないシートクッションと、該シートクッションに前後に傾動自在なるシートバック２と、該シートバック２に上下動可能なるヘッドレスト３とよりなる。
【００２１】
図１に示すように、シートバック２の背面２ａに沿う収納位置と、図２及び図３に示すように、前記シートバック２の背面２ａに表示装置６を保持可能な表示位置とにホルダー９を選択可能である。前記シートバック２の背面２ａのホルダー９の下側に配設されてなるのは、新聞や週刊誌など収納可能なるポケットである。
【００２２】
前記ホルダー９は、前記シートバック２の背面２ａに沿う位置に固設されてなる支持部１０と、該支持部１０の下端部１０ｂに設けたヒンジ部１１を中心に図１に示す前記シートバック２の背面２ａに沿う位置から図２及び図３に示す略水平の位置まで開成自在なる蓋体４とより構成されてなる。
【００２３】
前記支持部１０の上端部１０ａには、前記表示装置６の上端部６ａを選択的に支持可能なる複数の第１係合部５が配設されてなり、前記蓋体４の表面側には、左右方向に形成されてなる複数の第２係合部４ａが形成されてなり、前記支持部１０に回転中心部７ａを有する調節部材７が前記第２係合部４ａの何れかに係合可能なる構造に形成されてなる。
【００２４】
前記蓋体４の前記シートバック２の背面２ａ側は、平滑なテーブル４ｂが形成されてなる。
【００２５】
前記第１係合部５は、前記シートバック２の背面２ａに沿う上下方向に複数形成されてなる。符号５ａは、第１係合部５の一番上側の第１挿入口であり、符号５ｂは、第１係合部５の上側から二番目の第２挿入口であり、符号５ｃは、第１係合部５の上側から三番目の第３挿入口であり、前記表示装置６の上端部６ａが挿入可能である。
【００２６】
前記表示装置６の下端部６ｂは、前記テーブル４ｂに形成した第４係合部４ｃに係合可能である。
【００２７】
前記調節部材７の第３係合部７ｂは、前記蓋体４の第２係合部４ａの適宜位置に係合可能である。
【００２８】
前記蓋体４の側部には、前記表示装置６に電気的に連結されてなるインポート８が配設されてなる。
【００２９】
次に、本実施例の作用を説明する。
【００３０】
前記シートバック２の背面２ａに沿う収納位置と、前記シートバック２の背面２ａに表示装置６を保持可能な表示位置とに選択可能なるホルダー９を配してなる乗り物用座席１であって、前記ホルダー９は、前記シートバック２の背面２ａに沿う位置に固設されてなる支持部１０と、該支持部１０の下端部１０ｂに設けたヒンジ部１１を中心に前記シートバック２の背面２ａに沿う位置から略水平の位置まで開成自在なる蓋体４とより構成されてなり、前記支持部１０の上端部１０ａには、前記表示装置６の上端部６ａを選択的に支持可能なる複数の第１係合部５が配設されてなり、前記蓋体４の表面側には、左右方向に形成されてなる複数の第２係合部４ａが形成されてなり、前記支持部１０に回転中心部７ａを有する調節部材７が前記第２係合部４ａの何れかに係合可能なるため、シートバック２の背面２ａに設けられた表示装置６が、シートバック２の角度や後席乗員の座高によっても、確実に見える。
【００３１】
前記蓋体４の前記シートバック２の背面２ａ側は、平滑なテーブル４ｂが形成されてなるため、表示装置６を取り外した時に、乗り物の中での事務作業が可能になるなどの有用な効果を有する。
【００３２】
前記第１係合部５は、前記シートバック２の背面２ａに沿う上下方向に複数形成されてなるため、前記表示装置６の角度を変更でき、後席に座る乗員の座高がさまざまであっても、また、シートバック２の角度が変化しても、表示装置６を確実に視認できることになる。
【００３３】
前記表示装置６の下端部６ｂは、前記テーブル４ｂに形成した第４係合部４ｃに係合可能であるため、表示装置６の保持が確実になる。
【００３４】
前記調節部材７の第３係合部７ｂは、前記蓋体４の第２係合部４ａの適宜位置に係合可能なため、前記表示装置６の角度を変更でき、後席に座る乗員の座高がさまざまであっても、また、シートバック２の角度が変化しても、表示装置６を確実に視認できることになる。
【００３５】
前記蓋体４の側部には、前記表示装置６に電気的に連結されてなるインポート８が配設されてなるため、乗り物の中での事務作業が著しく効率が向上することになる。
【産業上の利用可能性】
【００３６】
以上の実施例では、乗り物用座席としてワンボックスタイプの自動車用の座席を例にして説明したが、これに限定されず、航空機、鉄道車両、船舶などに搭載されている座席でも良い。
【符号の説明】
【００３７】
１  乗り物用座席
２  シートバック
２ａ  シートバックの背面
４  蓋体
４ａ  第２係合部
４ｂ  テーブル
５  第１係合部
６  表示装置
６ａ  表示装置の上端部
６ｂ  表示装置の下端部
７  調節部材
７ａ  回転中心部
７ｂ  第３係合部
８  インポート
９  ホルダー
１０  支持部
１０ａ  支持部の上端部
１０ｂ  支持部の下端部
１１  ヒンジ部
【図１】
2014051119.tif 000003
【図２】
2014051119.tif 000004
【図３】
2014051119.tif 000005